(57)【特許請求の範囲】
【請求項１】
窓枠に固定されるヘッドボックスと、
前記ヘッドボックス内に収容された複数の巻取装置と、
前記ヘッドボックス内に収容された制御基板、電源基板およびエンコーダ基板と、を備えた電動ブラインド装置であって、
前記巻取装置は、前記ヘッドボックスの長さ方向の端部側に位置する端部巻取装置を有しており、
前記制御基板、前記電源基板および前記エンコーダ基板のうち少なくとも２つは、前記端部巻取装置よりも前記ヘッドボックスの長さ方向内側に配置されていて、
前記制御基板は、コネクタを有しており、
前記コネクタは、前記ヘッドボックスの底部から外部に露出していることを特徴とする電動ブラインド装置。
【請求項２】
窓枠に固定されるヘッドボックスと、
前記ヘッドボックス内に収容された複数の巻取装置と、
前記ヘッドボックス内に収容された制御基板、電源基板およびエンコーダ基板と、を備えた電動ブラインド装置であって、
前記巻取装置は、前記ヘッドボックスの長さ方向の端部側に位置する端部巻取装置を有しており、
前記制御基板、前記電源基板および前記エンコーダ基板のうち少なくとも２つは、前記端部巻取装置よりも前記ヘッドボックスの長さ方向内側に配置されていて、
前記制御基板は、前記端部巻取装置よりも前記ヘッドボックスの長さ方向外側に配置されており、
前記エンコーダ基板は、前記端部巻取装置よりも前記ヘッドボックスの長さ方向内側に配置されているとともに、モーターにより駆動される駆動軸の途中に配置されていることを特徴とする電動ブラインド装置。
【請求項３】
前記制御基板、前記電源基板および前記エンコーダ基板は、前記ヘッドボックスの内面
にスナップ係合することを特徴とする請求項１または２に記載の電動ブラインド装置。
【請求項４】
前記ヘッドボックスの内面にスナップ係合する係合部材を備え、
前記制御基板、前記電源基板および前記エンコーダ基板は、前記係合部材を介して、前記ヘッドボックスの内面にスナップ係合することを特徴とする請求項１乃至請求項３のいずれか一項に記載の電動ブラインド装置。
【請求項５】
前記係合部材は、前記ヘッドボックスの幅方向の両側部に係合する一対のアーム部と、一対の前記アーム部の下端部同士を繋ぐ繋ぎ部とを有していることを特徴とする請求項４に記載の電動ブラインド装置。
【請求項６】
前記アーム部の外側面の一部には、前記ヘッドボックスの幅方向の側部から離間する切欠部が形成されており、
前記切欠部と前記ヘッドボックスの幅方向の側部との間には、配線が通されることを特徴とする請求項５に記載の電動ブラインド装置。
【請求項７】
前記ヘッドボックスは、幅方向の側部において、幅方向内側へ向けて突出する突条部を有しており、
前記アーム部の上端部は、前記突条部の下端部に係合しており、
前記繋ぎ部の下端部は、前記ヘッドボックスの底部に係合しており、
前記係合部材は、リブを有していることを特徴とする請求項５又は請求項６に記載の電動ブラインド装置。
【請求項８】
前記アーム部と前記繋ぎ部とが交わる角部は、テーパ状に形成されていることを特徴とする請求項５乃至請求項７のいずれか一項に記載の電動ブラインド装置。
【請求項９】
前記電源基板は、前記ヘッドボックスの幅方向の側部に固定される感電防止部材を有していることを特徴とする請求項１乃至請求項８のいずれか一項に記載の電動ブラインド装置。
【請求項１０】
窓枠に固定されるヘッドボックスと、
前記ヘッドボックス内に収容された複数の巻取装置と、
前記ヘッドボックス内に収容された制御基板、電源基板およびエンコーダ基板と、を備えた電動ブラインド装置であって、
前記巻取装置は、前記ヘッドボックスの長さ方向の端部側に位置する端部巻取装置を有しており、
前記制御基板、前記電源基板および前記エンコーダ基板のうち少なくとも２つは、前記端部巻取装置よりも前記ヘッドボックスの長さ方向内側に配置されていて、
前記制御基板は、コネクタを有しており、
前記コネクタは、前記ヘッドボックスの幅方向の一方に偏倚して、前記ヘッドボックスの底部に設けられた開口部を通じて前記コネクタを露出させることを特徴とする電動ブラインド装置。
【発明の詳細な説明】
【技術分野】
【０００１】
本発明は、電動ブラインド装置に関する。
【背景技術】
【０００２】
従来、スラットの昇降や角度調整等を自動操作可能な電動ブラインド装置が知られている（例えば特許文献１参照）。
【０００３】
この種の電動ブラインド装置としては、図８（ａ）に示す従来例がある。図８（ａ）は、従来の横型ブラインドを示す要部拡大正面図である。
【０００４】
従来の横型ブラインド１００は、窓枠に固定されるヘッドボックス１０１と、ヘッドボックス１０１から吊り下げられた昇降コード１０２と、ヘッドボックス１０１から吊り下げられたラダーコード１０３と、ラダーコード１０３に支持された複数のスラット１０４とを備えている。
【０００５】
ヘッドボックス１０１内には、昇降コード１０２を上昇または下降させる昇降装置１０５と、図示せぬモーター等の各種動作を制御する制御基板１０６と、外部電力を直流電力に変換して制御基板１０６およびモーターに供給する電源基板１０７と、モーターの回転量を検出するエンコーダ基板１０８とが収容されている。
【０００６】
制御基板１０６およびエンコーダ基板１０８は一体化されていて、ヘッドボックス１０１の最も端に位置する昇降装置１０５（以下、端部昇降装置１０５ａという）の外側に配置されている。電源基板１０７は、端部昇降装置１０５ａの内側に配置されている。
【０００７】
ところで、横型ブラインドを現場で設置する際には、窓の開口幅に合わせてスラットを切断し、スラット長を調整する作業を行っている。この際、スラットの切断は、ヘッドボックスの長さ方向の端部に一致する位置まで行うことができる。
【先行技術文献】
【特許文献】
【０００８】
【特許文献１】特開２００９−７８４０号公報
【発明の概要】
【発明が解決しようとする課題】
【０００９】
しかし、従来の横型ブラインド１００では、一体化した制御基板１０６およびエンコーダ基板１０８の２つの基板を、端部昇降装置１０５ａよりもヘッドボックス１０１の長さ方向外側に配置しているため、端部昇降装置１０５ａの外側スペースが必然的に長くなる。この結果、ヘッドボックス１０１の長尺化を招き、横型ブラインド１００設置時のスラット長の調整幅が狭まる。すなわち、横型ブラインド１００では、スラット１０４の切断可能寸法が短い（図８（ａ）中のＬ２となる）ため、スラット長の調整を行いにくいという問題がある。
【００１０】
本発明は、このような観点から創案されたものであり、従来よりもスラット長の調整を行いやすい電動ブラインド装置を提供することを課題とする。
【課題を解決するための手段】
【００１１】
このような課題を解決するために、本発明は、窓枠に固定されるヘッドボックスと、前記ヘッドボックス内に収容された複数の巻取装置と、前記ヘッドボックス内に収容された制御基板、電源基板およびエンコーダ基板と、を備えた電動ブラインド装置であって、前記巻取装置は、前記ヘッドボックスの長さ方向の端部側に位置する端部巻取装置を有しており、前記制御基板、前記電源基板および前記エンコーダ基板のうち少なくとも２つは、前記端部巻取装置よりも前記ヘッドボックスの長さ方向内側に配置されていることを特徴とする。
【００１２】
本発明によれば、制御基板、電源基板およびエンコーダ基板のうち少なくとも２つは、端部巻取装置よりもヘッドボックスの長さ方向内側に配置されるため、ヘッドボックス内のスペースの効率化を図り、従来よりも端部巻取装置の外側スペースを短くできる。これにより、スラットの切断可能寸法が長くなるため、スラット長の調整を行いやすくなる。
【００１３】
前記制御基板、前記電源基板および前記エンコーダ基板は、前記ヘッドボックスの内面にスナップ係合することが好ましい。この場合、前記ヘッドボックスの内面にスナップ係合する係合部材を備え、前記制御基板、前記電源基板および前記エンコーダ基板は、前記係合部材を介して、前記ヘッドボックスの内面にスナップ係合するとよい。
このようにすると、ヘッドボックスに対する各基板の組付性を向上させることができる。
【００１４】
前記係合部材は、前記ヘッドボックスの幅方向の両側部に係合する一対のアーム部と、一対の前記アーム部の下端部同士を繋ぐ繋ぎ部とを有していることが好ましい。
このようにすると、一対のアーム部により、ヘッドボックスに対する各基板の横方向の位置ずれを抑制することができる。
【００１５】
前記アーム部の外側面の一部には、前記ヘッドボックスの幅方向の側部から離間する切欠部が形成されていることが好ましい。この場合、前記切欠部と前記ヘッドボックスの幅方向の側部との間には、配線が通される。
このようにすると、係合部材を使用した場合であっても、ヘッドボックス内に配線を支障なく設置することができる。
【００１６】
前記ヘッドボックスは、幅方向の側部において、幅方向内側へ向けて突出する突条部を有していることが好ましい。この場合、前記アーム部の上端部は、前記突条部の下端部に係合し、前記繋ぎ部の下端部は、前記ヘッドボックスの底部に係合するとよい。
このようにすると、ヘッドボックスに対する各基板の上下方向の位置ずれを抑制することができる。
【００１７】
前記係合部材は、リブを有していることが好ましい。
このようにすると、係合部材の強度・剛性を高めることができる。
【００１８】
前記アーム部と前記繋ぎ部とが交わる角部は、テーパ状に形成されていることが好ましい。
このようにすると、アーム部と繋ぎ部とが交わる角部の強度・剛性を高めることができる。
【００１９】
前記電源基板は、前記ヘッドボックスの幅方向の側部に固定される感電防止部材を有していることが好ましい。
このようにすると、感電防止部材を利用して、ヘッドボックスの幅方向の側部に電源基板を固定できるため、固定用の別部材を使用する必要がなく、部品点数の削減やコストダウンを図ることができる。
【００２０】
前記制御基板は、コネクタを有しており、前記コネクタは、前記ヘッドボックスの底部から外部に露出していることが好ましい。
このようにすると、ヘッドボックスを窓枠から取り外すことなく、ヘッドボックスの下側からコネクタを通じてソフトウェアの書き換えが可能となるため、メンテナンス性を向上させることができる。ちなみに、ヘッドボックスの中央側では、スラットが左右複数のラダーコードにより支持されているため、スラットを動かしにくく、ヘッドボックスの中央側にコネクタを配置すると、ソフトウェアの書き換え作業が煩雑になる。これに対し、本発明によれば、ラダーコードによる制約がヘッドボックスの中央側に比べて少ないヘッドボックスの端部側にコネクタを配置するため、スラットを動かしやすく、ソフトウェアの書き換え作業が容易になる。
【００２１】
前記制御基板は、前記端部巻取装置よりも前記ヘッドボックスの長さ方向外側に配置され、前記エンコーダ基板は、前記端部巻取装置よりも前記ヘッドボックスの長さ方向内側に配置されているとともに、モーターにより駆動される駆動軸の途中に配置されることが好ましい。
このようにすると、制御基板とエンコーダ基板を分離し、駆動軸の途中の空きスペースを利用して、エンコーダ基板を配置できるため、従来よりもヘッドボックスを短くできる。
【発明の効果】
【００２２】
本発明によれば、従来よりもスラット長の調整を行いやすくなる。
【図面の簡単な説明】
【００２３】
【図１】本実施形態に係る横型ブラインドの正面図である。
【図２】図１の要部拡大正面図である。
【図３】本実施形態の係合部材およびエンコーダ基板をヘッドボックス内に設置した状態を示す側断面図である。
【図４】本実施形態の係合部材およびエンコーダ基板をヘッドボックス内に設置した状態を示す正面断面図である。
【図５】本実施形態のコネクタの構成を示す図であり、（ａ）は図２に示す矢印Ｙからの矢視図、（ｂ）は（ａ）のＶ−Ｖ断面図である。
【図６】本実施形態のアースの構成を示す側断面図である。
【図７】本実施形態の係合部材を示す図であり、（ａ）は表側から見た斜視図、（ｂ）は裏側から見た斜視図である。
【図８】（ａ）は、従来の横型ブラインドを示す要部拡大正面図であり、（ｂ）は本実施形態の横型ブラインドを示す要部拡大正面図である。
【発明を実施するための形態】
【００２４】
本発明の実施形態について、適宜図面を参照しながら詳細に説明する。本実施形態では、本発明を横型ブラインドに適用した場合を例として説明する。図１は、本実施形態に係る横型ブラインドの正面図である。
【００２５】
図１に示すように、横型ブラインドＢは、窓枠に固定されるヘッドボックス１０と、ヘッドボックス１０から吊り下げられた昇降テープ１と、ヘッドボックス１０から吊り下げられたラダーコード２と、昇降テープ１の下端部に取り付けられたボトムレール３と、ラダーコード２に支持された複数のスラット４とを備えている。ラダーコード２は、室内側と室外側とに前後一対に配置されている。前後のラダーコード２，２の間には、複数のスラット４が上下方向に等間隔に支持されている。
【００２６】
＜ヘッドボックス＞
ヘッドボックス１０は、上端部および長さ方向の両端部が開口するボックス本体１１と、ボックス本体１１の上端開口を閉塞するボックスカバー１２と、ボックス本体１１の長さ方向の端部開口を閉塞するボックスキャップ１３とを有している。
【００２７】
図３に示すように、ボックス本体１１は、側断面視で略コ字状を呈するアルミニウム押出形材から形成されている。ボックス本体１１は、長さ方向に同一の断面形状で延設されている。
ボックス本体１１は、底部１１ａと、底部１１ａの幅方向の両端部に立設された側部１１ｂ，１１ｂと、各側部１１ｂ，１１ｂの上端部から幅方向内側へ向けて延出する延出壁部１１ｃ，１１ｃとで構成されている。
【００２８】
底部１１ａは、水平に延在しており、後記する係合部材５０が載置される部位である。底部１１ａは、側部１１ｂに連続する部位が一段低くなっていて、略ハット状を呈している。
【００２９】
側部１１ｂは、鉛直に延在しており、係合部材５０が係合する部位である。側部１１ｂの上端部側には、突条部１１ｄが幅方向内側へ向けて突出形成されている。突条部１１ｄは、延出壁部１１ｃの下方に位置していて、上下に相互に離間する一対の壁部で構成されており、ボックスキャップ１３をボックス本体１１に固定させる為のビスホールである。上下の壁部の先端は、幅方向内側へ向かうほど相互に近づくように湾曲している。上下の壁部と側部１１ｂとの間の空間には、ボックス本体１１とボックスキャップ１３とを結合するための図示せぬネジが挿入される。
【００３０】
延出壁部１１ｃは、ボックスカバー１２が係止される部位である。延出壁部１１ｃの先端は、直角に折曲されていて、下方へ向けて延出している。
【００３１】
ボックスカバー１２は、アルミニウム押出形材から形成されていて、長さ方向に同一の断面形状で延設されている。ボックスカバー１２は、下方へ窪む略半円状の２つの溝部１２ａ，１２ａを有している。溝部１２ａを成す壁部の外周面には、外向きに突出する係止突条部１２ｂが形成されている。本実施形態では、係止突条部１２ｂを延出壁部１１ｃの先端に下方から係止することにより、ボックスカバー１２がボックス本体１１に固定される。
【００３２】
図１に示すように、ヘッドボックス１０内には、モーター５と、複数の昇降装置６と、複数のスラット駆動装置７と、制御基板２０と、電源基板３０と、エンコーダ基板４０と、複数の係合部材５０とが収容されている。本実施形態の各基板２０〜４０は、相互に分離している。
【００３３】
＜モーター＞
モーター５は、昇降装置６およびスラット駆動装置７に駆動力を付与するものである。モーター５は、ヘッドボックス１０の図１の左側の端部付近に設置されている。モーター５の出力軸は、駆動軸８の一端部（図１の左側の端部）に連結されている。これにより、モーター５の回転に連動して、駆動軸８が回転する。
【００３４】
＜昇降装置＞
昇降装置６は、ボトムレール３および各スラット４を昇降または下降させるための装置である。昇降装置６は、ヘッドボックス１０の長さ方向に間隔を空けて設置されている。なお、以下の説明では、複数の昇降装置６のうち、ヘッドボックス１０の最も端（図１の右側の端部付近）に位置する昇降装置６を端部昇降装置６ａという。昇降装置６は、特許請求の範囲の巻取装置に相当し、端部昇降装置６ａは、特許請求の範囲の端部巻取装置に相当する。
【００３５】
＜スラット駆動装置＞
スラット駆動装置７は、各スラット４を傾動させるための装置である。スラット駆動装置７は、昇降装置６に隣接していて、ヘッドボックス１０の長さ方向に間隔を空けて設置されている。
【００３６】
図２に示すように、昇降装置６は、回転自在に支持される巻取プーリー６ｂを有している。巻取プーリー６ｂには、昇降テープ１の上端部が固定されている。スラット駆動装置７は、傾動自在に支持される吊下プーリー７ａを有している。吊下プーリー７ａの外周面には、チルドスプリング７ｂが装着されている。チルドスプリング７ｂには、ラダーコード２の上端部が固定されている。巻取プーリー６ｂおよび吊下プーリー７ａには、駆動軸８が挿通されている。
【００３７】
＜制御基板＞
制御基板２０は、モーター５と反対側の端部に配置されている。図２に示す制御基板２０は、端部昇降装置６ａ（昇降テープ１）よりもヘッドボックス１０の長さ方向外側に配置されている。制御基板２０は、通信基板、スイッチ入力基板、設定用基板、モーター制御基板、エンコーダ信号処理基板等を含んで構成されていて、各種制御を行うものである。制御基板２０は、係合部材５０を介して、ヘッドボックス１０の内面にスナップ係合している。
【００３８】
図５（ａ）、（ｂ）に示すように、制御基板２０は、ソフトウェアの書き換えを行うためのコネクタ２１と、作動状態を表示するためのランプ２２と、制御基板２０の設定を切り換えるためのスイッチ２３とを有している。コネクタ２１、ランプ２２およびスイッチ２３は、制御基板２０の下面において、ヘッドボックス１０の長さ方向にこの順序で配置されている。
【００３９】
コネクタ２１、ランプ２２およびスイッチ２３は、幅方向の一方に偏倚している。ボックス本体１１の底部１１ａには、コネクタ２１、ランプ２２およびスイッチ２３の全てを外部に露出させる開口部１１ｅが形成されている。開口部１１ｅは、長さ方向に延びる矩形状を呈している。
【００４０】
＜電源基板＞
図２に示す電源基板３０は、端部昇降装置６ａよりもヘッドボックス１０の長さ方向内側に配置されている。電源基板３０は、交流直流変換基板等を含んで構成されていて、外部電源から供給される外部電力を直流電力に変換して制御基板２０およびモーター５に供給するものである。電源基板３０は、係合部材５０を介して、ヘッドボックス１０の内面にスナップ係合している。
【００４１】
図６に示すように、電源基板３０は、感電防止部材として機能するアース３１を有している。本実施形態のアース３１は、Ｌ字状の金具から成る。アース３１は、上下に延びるボックス側固定部３１ａと、ボックス側固定部３１ａの下端部から幅方向内側へ向けて延びる基板側固定部３１ｂとで構成されている。
【００４２】
ボックス側固定部３１ａには、水平に貫通する貫通孔３１ｃが形成されている。ボックス側固定部３１ａの貫通孔３１ｃおよび側部１１ｂに形成された貫通孔１１ｆには、ボックス側固定部３１ａと側部１１ｂとを結合するためのネジＮが挿入されている。
【００４３】
基板側固定部３１ｂは、電源基板本体の下面に当接していて、底部１１ａから上方に離間した状態で配置されている。基板側固定部３１ｂには、上下に貫通する貫通孔３１ｄが形成されている。ボックス側固定部３１ａの貫通孔３１ｄおよび電源基板本体の端部に形成された貫通孔３０ａには、ボックス側固定部３１ａと電源基板本体とを結合するためのネジＮが挿入されている。
【００４４】
＜エンコーダ基板＞
図２に示すエンコーダ基板４０は、端部昇降装置６ａよりもヘッドボックス１０の長さ方向内側に配置されている。エンコーダ基板４０は、モーター５の回転量を検出して制御基板２０に出力するセンサーである。エンコーダ基板４０は、電源基板３０の長さ方向内側に隣接配置されている。エンコーダ基板４０には、駆動軸８が貫通している。エンコーダ基板４０は、駆動軸８の途中に配置されている。すなわち、エンコーダ基板４０は、駆動軸８の途中（２つの昇降装置６，６の間）の空きスペースを利用して配置されている。エンコーダ基板４０は、係合部材５０を介して、ヘッドボックス１０の内面にスナップ係合している。
【００４５】
次に、図３、図４、図７（ａ）（ｂ）を参照して、係合部材５０について説明する。なお、各基板２０〜４０に固定される係合部材５０は同一であるので、以下の説明では、エンコーダ基板４０に固定される係合部材５０について説明する。
【００４６】
＜係合部材＞
図３に示すように、係合部材５０は、ボックス本体１１の内面にスナップ係合する樹脂製の部材である。係合部材５０は、ボックス本体１１の幅方向の側部１１ｂ，１１ｂに係合する一対のアーム部５１，５１と、一対のアーム部５１，５１の下端部同士を繋ぐ繋ぎ部５２とを有していて、側断面視コ字状を呈する。
【００４７】
係合部材５０は、アーム部５１と繋ぎ部５２との境界部の弾力性によって、側部１１ｂを押圧している。これにより、ヘッドボックス１０に対する係合部材５０およびエンコーダ基板４０の横方向の位置ずれを抑制することができる。また、係合部材５０は、突条部１１ｄと底部１１ａとの間に挟み込まれて挟持されている。これにより、ヘッドボックス１０に対する係合部材５０およびエンコーダ基板４０の上下方向の位置ずれを抑制することができる。
【００４８】
なお、エンコーダ基板４０に固定された係合部材５０をボックス本体１１内に設置する際には、専用の冶具を使用してボックス本体１１の上端開口を幅方向外側に広げ、アーム部５１，５１を幅方向内側へ収縮するように弾性変形させた状態で、エンコーダ基板４０および係合部材５０を上端開口からボックス本体１１内に挿入して設置する。
【００４９】
アーム部５１および繋ぎ部５２において、側部１１ｂに対面する外側面には、側部１１ｂから離間する切欠部５３が形成されている。切欠部５３と側部１１ｂとの間には、配線９を通すための空間が形成されている。切欠部５３は、繋ぎ部５２の外側面の下端部からアーム部５１の外側面の上端部付近に亘って形成されている。アーム部５１の内側面と繋ぎ部５２の上面とが交わる角部５４は、テーパ状に形成されている。
【００５０】
アーム部５１の外側面の上端部には、係合部５５が外向きに突出形成されている。係合部５５は、切欠部５３の上方に形成されていて、突条部１１ｄおよび側部１１ｂに当接して係合している。詳しくは、係合部５５の上面は、突条部１１ｄの下側壁部の下面に当接して係合しており、係合部５５の外側面は、側部１１ｂの内面に当接して係合している。
【００５１】
図７（ａ）に示すように、係合部材５０の一側面５０ａ（ヘッドボックス１０の長さ方向に位置する一側面５０ａ）には、強度・剛性を高めるための第１リブ５６が形成されている。第１リブ５６は、一側面５０ａから突出している。第１リブ５６は、アーム部５１の上縁部および係合部５５の縁部に亘って形成されている。
【００５２】
図７（ｂ）に示すように、係合部材５０の一側面５０ａと反対側の他側面５０ｂには、強度・剛性を高めるための第２リブ５７が形成されている。第２リブ５７は、他側面５０ｂから第１リブ５６と逆向きに突出している。第２リブ５７は、アーム部５１の内側面の縁部に沿って形成されている。第２リブ５７の下端部は、アーム部５１の下端部よりも下方に延びていて、繋ぎ部５２まで至っている。
【００５３】
繋ぎ部５２側の他側面５０ｂには、上下に延びる円筒状のボス部５８，５８が形成されている。ボス部５８は、他側面５０ｂから膨出している。ボス部５８は、繋ぎ部５２の下側かつ外側の角部に設けられている。図４に示すように、繋ぎ部５２およびボス部５８の下面は、底部１１ａの内面に当接して係合している。ボス部５８には、エンコーダ基板４０のフランジ部４１が載置されている。係合部材５０のボス部５８およびエンコーダ基板４０のフランジ部４１には、係合部材５０とエンコーダ基板４０を結合するためのネジＮが挿入されている。
【００５４】
本発明の実施形態に係る横型ブラインドＢは、基本的には以上のように構成されるものであり、次に、図８（ａ）（ｂ）を参照して、その作用効果について説明する。なお、図８（ａ）は、従来の横型ブラインドを示す要部拡大正面図であり、（ｂ）は本実施形態の横型ブラインドを示す要部拡大正面図である。
【００５５】
はじめに、図８（ａ）を参照して、従来の横型ブラインド１００について説明する。  図８（ａ）に示す従来の横型ブラインド１００では、一体化した制御基板１０６およびエンコーダ基板１０８の２つの基板を、端部昇降装置１０５ａよりも長さ方向外側に配置している。このため、端部昇降装置１０５ａの外側スペースが長くなり、スラット１０４の切断可能寸法がＬ２となる。
【００５６】
これに対し、本実施形態の横型ブラインドＢでは、電源基板３０およびエンコーダ基板４０の２つの基板を、端部昇降装置６ａよりも長さ方向内側に配置している。すなわち、端部昇降装置６ａの長さ方向外側に配置する基板は、制御基板２０のみである。また、制御基板２０と分離したエンコーダ基板４０を、駆動軸８の途中に配置している。
【００５７】
これにより、駆動軸８の途中の空きスペースを利用できるため、従来例よりもヘッドボックス１０を短くできる。この結果、従来例よりも端部昇降装置６ａの外側スペースを短くでき、スラット１０４の切断可能寸法がＬ１となる。
【００５８】
この切断可能寸法Ｌ１は、切断可能寸法Ｌ２よりも長い。すなわち、本実施形態では、従来例に比較して、切断可能寸法Ｌ１，Ｌ２の差Ｌ３（Ｌ１−Ｌ２＝Ｌ３）だけ切断可能寸法が長くなり、スラット長の調整幅が広くなるため、スラット長の調整を行いやすくなる。
【００５９】
なお、制御基板２０とエンコーダ基板４０を分離すると、両基板２０，４０を繋ぐ配線９が必要になるが、本実施形態では、係合部材５０に切欠部５３を設けて、配線９を通す構造にしたため、分離構造を採用しても配線９を支障なく設置することができる。換言すると、配線９を通す切欠部５３を設けたため、分離したエンコーダ基板４０を端部昇降装置６ａの長さ方向内側（駆動軸８の途中）に配置することができる。
【００６０】
また、本実施形態によれば、各基板２０〜４０は、係合部材５０を介して、ヘッドボックス１０の内面にスナップ係合するため、ヘッドボックス１０に対する各基板２０〜４０の組付性を向上させることができる。
【００６１】
また、本実施形態によれば、一対のアーム部５１，５１は、繋ぎ部５２との境界部の弾力性によって、側部１１ｂ，１１ｂを押圧している。これにより、ヘッドボックス１０に対する係合部材５０および各基板２０〜４０の横方向の位置ずれを抑制することができる。
【００６２】
また、本実施形態によれば、係合部材５０は、突条部１１ｄと底部１１ａとの間に挟み込まれて挟持されている。これにより、ヘッドボックス１０に対する係合部材５０および各基板２０〜４０の上下方向の位置ずれを抑制することができる。
【００６３】
また、本実施形態によれば、アーム部５１の外側面には切欠部５３が形成され、この切欠部５３と側部１１ｂとの間に配線９が通されるため、係合部材５０を使用した場合であっても、ヘッドボックス１０内に配線９を支障なく設置することができる。
【００６４】
また、本実施形態によれば、第１リブ５６がアーム部５１および係合部５５に形成され、第２リブ５７がアーム部５１および繋ぎ部５２に形成される。また、アーム部５１の内側面と繋ぎ部５２の上面とが交わる角部５４がテーパ状に形成される。これにより、係合部材５０の各所の強度・剛性を高めることができる。
【００６５】
また、本実施形態によれば、アース３１を利用して、側部１１ｂに電源基板３０を固定できるため、固定用の別部材を使用する必要がなく、部品点数の削減やコストダウンを図ることができる。
【００６６】
また、本実施形態によれば、制御基板２０のコネクタ２１は、底部１１ａの開口部１１ｅを通じて外部に露出しているため、ヘッドボックス１０を窓枠から取り外すことなく、ヘッドボックス１０の下側からコネクタ２１を通じてソフトウェアの書き換えが可能となり、メンテナンス性を向上させることができる。
【００６７】
一般的に、基板はネジによりヘッドボックスの底部に固定される場合が多く、この場合には、ネジの露出を隠すために、底部の下側には別途カバーが設置される。このような二重底構造では、底部に孔をあけても、カバーにより覆われているため、ヘッドボックスの下側からコネクタを露出させることができない。仮に、カバーにも孔をあけてしまうと、カバーの目的を滅失することになる。
これに対し、本実施形態では、各基板２０〜４０をヘッドボックス１０にスナップ係合するため、底部１１ａに固定用のネジがなく、ネジ露出防止用のカバーが不要となる。これにより、底部１１ａに開口部１１ｅを設け、開口部１１ｅを通じてヘッドボックス１０の下側からコネクタ２１を露出させることが可能になる。
【００６８】
ヘッドボックス１０の中央側では、スラット４が左右複数のラダーコード２により支持されているため、スラット４を動かしにくく、ヘッドボックス１０の中央側にコネクタ２１を配置すると、ソフトウェアの書き換え作業が煩雑になる。これに対し、本実施形態によれば、ラダーコード２による制約がヘッドボックス１０の中央側に比べて少ないヘッドボックス１０の端部側にコネクタ２１を配置するため、スラット４を動かしやすく、ソフトウェアの書き換え作業が容易になる。
【００６９】
以上、本発明の実施形態について説明したが、本発明はこれに限定されるものではなく、本発明の主旨を逸脱しない範囲で適宜変更可能である。
本実施形態では、電源基板３０およびエンコーダ基板４０の２つの基板を端部昇降装置６ａよりも長さ方向内側に配置する場合を例示したが、全ての基板２０〜４０を端部昇降装置６ａよりも長さ方向内側に配置してもよい。また、端部昇降装置６ａよりも長さ方向内側に配置する２つの基板は、基板２０〜４０のうちから適宜選択してよい。さらに、端部昇降装置６ａよりも長さ方向内側に配置する２つの基板は、各基板２０〜４０を構成する基板の中から適宜選択してよい。例えば、制御基板２０のスイッチ入力基板とモーター制御基板を端部昇降装置６ａよりも長さ方向内側に配置してもよい。
【００７０】
本実施形態では、各基板２０〜４０を分離して配置する場合を例示したが、２つの基板を一体化して配置してもよい。例えば、電源基板３０およびエンコーダ基板４０を一体化して端部昇降装置６ａよりも長さ方向内側に配置してもよい。
【００７１】
本実施形態では、テープ式の昇降装置６を備えた横型ブラインドＢに本発明を適用したが、コード式の昇降装置６を備えた横型ブラインドＢに本発明を適用してもよい。
【符号の説明】
【００７２】
Ｂ      横型ブラインド（電動ブラインド装置）
１０    ヘッドボックス
１１    ボックス本体
１１ａ  底部
１１ｂ  側部
１１ｄ  突条部
１１ｅ  開口部
２０    制御基板
２１    コネクタ
３０    電源基板
３１    アース（感電防止部材）
４０    エンコーダ基板
５０    係合部材
５１    アーム部
５２    繋ぎ部
５３    切欠部
５４    角部
５５    係合部
５６    第１リブ
５７    第２リブ
５      モーター
６      昇降装置（巻取装置）
６ａ    端部昇降装置（端部巻取装置）
８      駆動軸
９      配線
【図１】
0006632195.tif 000002
【図２】
0006632195.tif 000003
【図３】
0006632195.tif 000004
【図４】
0006632195.tif 000005
【図５】
0006632195.tif 000006
【図６】
0006632195.tif 000007
【図７】
0006632195.tif 000008
【図８】
0006632195.tif 000009